(57)【要約】【課題】突発的な大レベル入力に対応でき、かつ音質劣化のないリミッタ動作をコストアップや信号の不自然さを招くことなく実現する。【解決手段】入力信号のレベルを検出し、検出された入力信号のレベルによってリミッタ動作を行うリミッタ制御装置であって、リミッタ動作のアタック時間を決定する第１のリミッタ動作手段と、リミッタ動作のリカバリー時間を決定する第２のリミッタ動作手段と、前記第１のリミッタ動作手段と前記第２のリミッタ動作手段とによって入力信号のリミッタ動作のアタック時間とリカバリー時間をそれぞれ独立して設定するアタック／リカバリー設定手段とを備える。【選択図】        図１
2006325262.tif 000002
【特許請求の範囲】
【請求項１】
入力信号のレベルを検出し、検出された入力信号のレベルによってリミッタ動作を行うリミッタ制御装置であって、
リミッタ動作のアタック時間を決定する第１のリミッタ動作手段と、
リミッタ動作のリカバリー時間を決定する第２のリミッタ動作手段と、
前記第１のリミッタ動作手段と前記第２のリミッタ動作手段とによって入力信号のリミッタ動作のアタック時間とリカバリー時間をそれぞれ独立して設定するアタック／リカバリー設定手段とを
備えることを特徴とするリミッタ制御装置。
【請求項２】
前記第１のリミッタ動作手段で決定されるアタック時間は前記第２のリミッタ動作手段で決定されるリカバリー時間よりも短く設定されることを特徴とする請求項１に記載のリミッタ制御装置。
【請求項３】
前記第１のリミッタ動作手段はコンデンサ、抵抗、半導体の組み合わせによってアタック時間を決定し、前記第２のリミッタ動作手段はマイクロコンピュータによるソフトウェアによってリカバリー時間を決定することを特徴とする請求項１に記載のリミッタ制御装置。
【請求項４】
入力信号のレベルを検出し、検出された入力信号のレベルによってリミッタ動作の制御を行うリミッタ制御方法であって、
リミッタ動作のアタック時間を決定する第１のリミッタ動作ステップと、
リミッタ動作のリカバリー時間を決定する第２のリミッタ動作ステップと、
前記第１のリミッタ動作ステップと前記第２のリミッタ動作ステップとによって入力信号のリミッタ動作のアタック時間とリカバリー時間をそれぞれ独立して設定するアタック／リカバリー設定ステップとを
備えることを特徴とするリミッタ制御方法。
【発明の詳細な説明】
【技術分野】
【０００１】
本発明は例えばオーディオ録音機器などに好適とされる、入力信号に対するレベル制御を行うリミッタ制御装置及びリミッタ制御方法に関するものである。
【背景技術】
【０００２】
近年、録音機能を有する機器として、据置型やポータブルタイプなどの各種録音装置が開発されており、マイクロホン入力や他の機器からのライン入力にかかる音声信号をテープ、ディスクなどの記録媒体に記録できるようにされている。
そして特に、音声信号をデジタルデータとして記録することで、著しい高音質化も実現されている。
【０００３】
ところで、アナログ音声信号として入力された音声信号をデジタルデータとして記録するには、音声信号をＡ／Ｄ変換器によりデジタルデータに変換する必要がある。そして、Ａ／Ｄ変換器の機能を最大限利用して高音質記録をはかるには、Ａ／Ｄ変換器の変換ダイナミックレンジをフルに利用することが求められる。
このため通常、Ａ／Ｄ変換器の前段で入力音声信号のレベル調整が行われ、変換ダイナミックレンジに合致した状態で入力音声信号がＡ／Ｄ変換器に供給されるようにしている。また、著しく大きなレベルの音声入力があり、それがＡ／Ｄ変換器のフルスケールレベルを越えてしまうと、音声データとしてのひずみとなり、音質劣化が生ずる。これを防止するために、大入力の際に機能するリミッタ回路も搭載される。
【０００４】
図６に従来のリミッタ回路の一例を示す。
マイクロホンやライン接続により録音装置に入力された音声信号ＳINは、例えば可変抵抗ＶＲ２によりユーザーの操作に応じた録音レベル調整が行われた後、初段アンプ２０を介してリミッタ２１に供給される。
この入力音声信号ＳINは初段アンプ２０、次段アンプ２１ａによりＡ／Ｄ変換器２２の変換ダイナミックレンジに応じたゲインが与えられ、Ａ／Ｄ変換器２２でデジタルデータに変換されて、記録データＤREC として後段の記録処理回路系に供給されるわけであるが、入力音声信号ＳINがＡ／Ｄ変換器２２のフルスケールレベルを越えるような大入力レベルとなった際は、リミッタ２１が機能してレベルが抑えられる。
【０００５】
このリミッタ２１としては次段アンプ２１ａの他に、電圧検出回路２１ｂ、抵抗Ｒ１１、Ｒ１２、コンデンサＣ１１、トランジスタＱ１１を有する。
電圧検出回路２１ｂは例えば整流回路とされ、Ａ／Ｄ変換器２２への入力端での電圧に応じた電流出力を行う。
電圧検出回路２１ｂの出力によりコンデンサＣ１１の充電が行われ、またコンデンサＣ１１の充電電圧に応じてトランジスタＱ１１のベース電圧が変動し、トランジスタＱ１１の導通状態が制御されることになる。
【０００６】
ここで、トランジスタＱ１１の飽和状態での抵抗値をｒ１とすると、次段アンプ２１ａの入力端での減衰量は、
１−｛ｒ１／（Ｒ１２＋ｒ１）｝＝Ｒ１２／（Ｒ１２＋ｒ１）
となる。
つまり、トランジスタＱ１１の導通状態に応じて抵抗Ｒ１２及びトランジスタＱ１１による分圧抵抗が変化する。従って大レベル入力時にコンデンサＣ１１が充電され、トランジスタＱ１１がオンとなり抵抗値が小さくなる（飽和状態での抵抗値ｒ）ことで、上記式からわかるようにＲ１２／（Ｒ１２＋ｒ１）という減衰量で入力音声信号が減衰されるリミッタ動作が実現されることになる。
【０００７】
リミッタ動作のイメージを示す信号波形を図７に示す。図７（ａ）のように入力音声信号のレベルが変動した場合に、トランジスタＱ１１のベース入力、つまりコンデンサＣ１１の充電電圧に応じたベース入力は図７（ｂ）のようになる。これによりリミッタ３の出力（Ａ／Ｄ変換器２２の入力）は図７（ｃ）のように制御される。
この場合、突発的な大レベル入力があってからリミッタ動作が有効となるまでの応答性としてのアタックタイムＴＡは、コンデンサＣ１１の充電時間によるものとなる。従って、コンデンサＣ１１の容量値及び抵抗Ｒ１１による時定数を小さく設定すれば、アタックタイムＴＡを短くできる。
一方、Ａ／Ｄ変換器２２への入力レベルが低くなることに応じて、コンデンサＣ１１が抵抗Ｒ１１、トランジスタＱ１１を介した放電を行い、これによってリミッタ２１としての減衰量は減少する。そしてこの場合の応答性としてのリカバリタイムＴＲも、コンデンサＣ１１及び抵抗Ｒ１１による時定数により決まることになる。
【０００８】
図８に従来の他のリミッタ回路例を示す。
マイクロホンやライン接続により録音装置に入力された音声信号ＳINは、初段アンプ３０を介して電子ボリューム３１に供給され、この電子ボリューム３１でレベル調整された後、次段アンプ３２を介してＡ／Ｄ変換器３３に供給される。
この場合、入力音声信号ＳINは初段アンプ３０、次段アンプ３２によりＡ／Ｄ変換器３３の変換ダイナミックレンジに応じたゲインが与えられ、Ａ／Ｄ変換器３３でデジタルデータに変換されて、記録データＤREC として後段の記録処理回路系に供給されるわけであるが、入力音声信号ＳINがＡ／Ｄ変換器３３のフルスケールレベルを越えるような大入力レベルとなった際は、コントローラ３４及び電子ボリューム３１により形成されるリミッタ機能によりレベルが抑えられる。
【０００９】
電子ボリューム３１は例えばリニア抵抗アレイによるＩＣとされ、その入力信号ＳINに対する抵抗値はコントローラ３４からの設定データにより設定される。
コントローラ３４はマイクロコンピュータにより形成される。そしてコントローラ３４は、Ａ／Ｄ変換器３３における入力音声信号ＳINのレベル（デジタルデータに変換された入力信号レベル）を監視しており、その入力レベル値に応じて所定の演算処理を行い、電子ボリューム３１に対する設定データを算出して電子ボリューム３１での抵抗値を制御することになる。
即ち大レベル入力に応じて電子ボリューム３１において入力音声信号ＳINに与えられる抵抗値を上げることで、リミッタ動作を実現する。リミッタ動作のイメージを示す信号波形は図９のようになる。
図９（ａ）のように入力音声信号のレベルが変動した場合に、コントローラ３４の制御によって電子ボリューム３１の抵抗値が可変制御されることで、リミッタ出力（Ａ／Ｄ変換器３３の入力）は図９（ｂ）のように制御される。
なお、コントローラ３４は発振器３５からのマスタークロックに基づいて演算処理、転送処理等を行うことになる。
【発明の開示】
【発明が解決しようとする課題】
【００１０】
ところが、これら図６、図８に示したような従来のリミッタ回路ではそれぞれ次のような問題がある。
まず図６のリミッタ回路の場合、上述したようにコンデンサＣ１１と抵抗Ｒ１１による充電時定数の設定によりアタックタイムを短くでき、突発的な大レベル入力にも対応できるという利点があるが、その一方で、コンデンサＣ１１の放電、つまりリカバリタイムもその時定数により決まるため、アタックタイムを短くするとリカバリタイムも短くなる。ところが、入力音声信号が音楽等である場合、リカバリタイムが短い状態であると、その音声が非常に不自然に聞こえるという問題があり、ある程度リカバリタイムを長くとることが要求される。
さらにその一方で、信号減衰に非線形素子（トランジスタＱ１１）を用いて行うため、ひずみ率が１％〜０．１％程度となり、リカバリタイムを長くすることは高音質化に不利なものとなってしまう。
【００１１】
また図８のリミッタ回路の場合は、マイクロコンピュータ制御による電子ボリュームにより音質劣化のほとんどない減衰動作が可能とされるとともに、リカバリータイムはコントローラ３４の制御によりソフトウエア的に任意に設定でき、その点では高音質なデジタル録音機器に適しているといえる。ところが、突発的な大レベル入力に対応できるようにアタックタイムを短くしようとすることに難があり、実際上アタックタイムをある程度以上短くできない。
即ち、アタックタイムを早めようとしても、アタックタイムはマイクロコンピュータであるコントローラ３４の処理スピードやデータ転送速度に依存し、つまりマスタークロックの周波数に依存することになる。従って、アタックタイムを早くするにはマスタークロックの高周波数化及びそれに応じた高性能のマイクロコンピュータの採用が必要となるため、もしアタックタイムの短縮を計るとすれば、コントローラ３４としての処理負担の増大や機器としてのコストアップを余儀なくされる。
【課題を解決するための手段】
【００１２】
本発明はこのような問題点に鑑みて、突発的な大レベル入力に対応でき、さらに音質劣化のないリミッタ動作を実現できる、例えば高音質録音を行うための録音機器などに好適なリミッタ制御装置及びリミッタ制御方法を提供することを目的とする。
【００１３】
このために、入力信号のレベルを検出し、検出された入力信号のレベルによってリミッタ動作を行うリミッタ制御装置であって、リミッタ動作のアタック時間を決定する第１のリミッタ動作手段と、リミッタ動作のリカバリー時間を決定する第２のリミッタ動作手段と、前記第１のリミッタ動作手段と前記第２のリミッタ動作手段とによって入力信号のリミッタ動作のアタック時間とリカバリー時間をそれぞれ独立して設定するアタック／リカバリー設定手段とを備える。
【００１４】
また、前記第１のリミッタ動作手段で決定されるアタック時間は前記第２のリミッタ動作手段で決定されるリカバリー時間よりも短く設定されるようにする。
また、前記第１のリミッタ動作手段はコンデンサ、抵抗、半導体の組み合わせによってアタック時間を決定し、前記第２のリミッタ動作手段はマイクロコンピュータによるソフトウェアによってリカバリー時間を決定するようにする。
【発明の効果】
【００１５】
以上説明したように本発明では、第１のリミッタ回路部により突発的な大レベル入力に対応し、第２のリミッタ回路部で緩やかな入力レベル変動に対応することができる。そして第１のリミッタ回路部では充電時定数の設定により非常に短いアタックタイムを容易に設定でき、これにより突発的な大レベル入力への対応をコンデンサ、抵抗等の素子の選択設定のみで簡易に実現できる。またこの場合第１のリミッタ回路部でのリカバリタイムも短くなるため、リミッタ動作に非線形素子を用いていることによる信号劣化の影響もほとんどない。
そして第２のリミッタ回路部においてリカバリタイムを任意に設定でき、このリカバリタイムをある程度長く設定することで信号の不自然さを解消できる。また、リカバリタイムが長くなっても、その間の減衰動作は本質劣化のほとんどない電子ボリューム部によるものとすることで、高音質化への妨げとはならない。これらのことから、高品質信号保持、突発的レベル変動対応ということを、不自然なレベル制御やコストアップを招かずに実現する入力信号制御装置を提供できるという効果があり、例えばデジタル録音機器におけるリミッタとして非常に好適である。
【００１６】
また、第２のリミッタ回路部によるリミッタ動作が行われる信号経路と、可変抵抗手段によるレベル制御が行われる信号経路を選択可能とすることや、第１及び第２のリミッタ回路部による入力信号に対するリミッタ動作をオフとすることができるようにすることで、録音形態や録音対象などのユーザーの使用事情に応じた最適なリミッタ動作制御を実現できるという効果がある。
【発明を実施するための最良の形態】
【００１７】
以下、本発明のリミッタ制御装置の実施の形態としての一例を図１〜図４で説明する。
図１に本例の入力信号制御装置の構成を示す。この入力信号制御装置は例えばデジタル録音機器の音声信号入力段でのリミッタ動作を実行できる回路とする。
マイクロホンやライン接続により録音装置に入力された音声信号ＳINは、初段アンプ１を介して電子ボリューム２に供給され、この電子ボリューム２でレベル調整された後、リミッタ３に供給される。
【００１８】
入力音声信号ＳINは初段アンプ１及びリミッタ３内の次段アンプ３ａによりＡ／Ｄ変換器４の変換ダイナミックレンジに応じたゲインが与えられ、Ａ／Ｄ変換器４でデジタルデータに変換されて、記録データＤREC として後段の記録処理回路系に供給される。そしてまた、入力音声信号ＳINがＡ／Ｄ変換器４のフルスケールレベルを越えるような大入力レベルとなった際は、第１のリミッタ回路部としてのリミッタ３と、第２のリミッタ回路部としての電子ボリューム２及びコントローラ５が機能して、レベルが適正状態にコントロールされる。
【００１９】
第１のリミッタ回路部としてのリミッタ３は、次段アンプ３ａ、電圧検出回路３ｂ、抵抗Ｒ１、Ｒ２、コンデンサＣ１、トランジスタＱ１を有する。
電圧検出回路３ｂは例えば整流回路とされ、Ａ／Ｄ変換器４への入力端での電圧に応じた電流出力を行う。
電圧検出回路３ｂの出力によりコンデンサＣ１の充電が行われ、またコンデンサＣ１の充電電圧に応じてトランジスタＱ１のベース電圧が変動し、トランジスタＱ１の導通状態が制御されることになる。コンデンサＣ１の充放電時定数はコンデンサＣ１の容量及び抵抗Ｒ１の抵抗値によって決まる。
【００２０】
トランジスタＱ１の飽和状態での抵抗値をｒとすると、次段アンプ３ａの入力端での減衰量は、
１−｛ｒ／（Ｒ２＋ｒ）｝＝Ｒ２／（Ｒ２＋ｒ）
となる。
つまり上述した図６のリミッタ２１と同様に、トランジスタＱ１の導通状態に応じて抵抗Ｒ２及びトランジスタＱ１による分圧抵抗が変化する。
従って大レベル入力時にコンデンサＣ１が充電され、トランジスタＱ１１がオンとなり抵抗値が小さくなる（抵抗値ｒ）ことで、Ｒ２／（Ｒ２＋ｒ）という減衰量で入力音声信号が減衰されるリミッタ動作が実現される。
【００２１】
一方、第２のリミッタ回路部の構成としては、電圧検出回路３ｂの出力端の電圧が、コンデンサＣ２及び抵抗Ｒ３により安定化されて、マイクロコンピュータにより形成されているコントローラ５のＡ／Ｄ変換入力端子５ａに供給される。
コントローラ５は、Ａ／Ｄ変換入力端子５ａから、電圧検出回路３ｂの出力端の電圧、つまりＡ／Ｄ変換器４への入力音声信号電圧をデジタルデータとして取り込む。そしてその取り込んだデータレベル値に応じて所定の演算処理を行い、電子ボリューム２に対する設定データを算出して電子ボリューム２での抵抗値を制御する。なお、コントローラ５は発振器６からのマスタークロックに基づいて演算処理、転送処理等を行うことになる。
【００２２】
電子ボリューム２は例えばリニア抵抗アレイによるＩＣとされ、その入力信号ＳINに対する抵抗値はコントローラ３４からの設定データにより設定される。そしてコントローラ５が取り込んだデータレベル値に応じた演算処理で求められた設定データにより電子ボリューム２での抵抗値が制御されることで、大レベル入力に対応したリミッタ動作が実行される。
コントローラ３４の設定データの算出のための演算処理としては、入力信号レベル値を用いた所定の演算式により設定データを算出してもよいし、例えばテーブルデータとして各入力信号レベルに応じた設定データを記憶しておき、Ａ／Ｄ変換入力端子５ａから入力され検出された入力信号レベルの値に応じてテーブルデータを検索し、対応する設定データを得るようにしてもよい。
【００２３】
この図１の入力信号制御装置によるリミッタ動作のイメージを示す信号波形は図２のようになる。
図２（ａ）のように入力音声信号のレベルとして突発的な大レベル入力があった場合には、まず第１のリミッタ回路部としてのリミッタ３により短いアタックタイムＴＡで反応して信号減衰が行われる。
このように短いアタックタイムを実現するためにコンデンサＣ１及び抵抗Ｒ１による充電時定数は短い値に設定される。このためコンデンサＣ１についてはその容量を小さくする。
また時定数が短くされることで、リミッタ３でのリカバリタイムも短いものとなり、入力音声信号に対するリミッタ動作としては、リミッタ３は瞬間的にしか反応しないものとなる。
図３の特性2は、リミッタ３による入出力特性を示しており、突発的な大レベル入力となってトランジスタＱ１がオンとなることで得られる特性である。
【００２４】
またコンデンサＣ１の容量が小さく、放電が早められていることで図２（ｂ）に示すリカバリタイムＴＲでの減衰動作は、リミッタ３による減衰動作の影響はほとんどなく、このリカバリ期間は第２のリミッタ回路部における電子ボリューム２による信号減衰にかかるものとなる。
そしてこのリカバリ期間の減衰動作は、コントローラ５の演算処理により制御されるものであり、その演算ソフトウエアの設定によりリカバリタイムＴＲは自在に設定可能である。図３の特性1は、電子ボリューム２によるリミッタ動作としての入出力特性を示しており、緩やかなレベル変動であってリミッタ３のトランジスタＱ１がオフの場合に定常的に反応することになる入出力特性である。
【００２５】
図４に本例の入力信号制御装置の動作の流れを示す。
入力音声信号ＳINは初段アンプ１へ入力され（Ｆ１）、増幅された後、電子ボリューム２に入力される（Ｆ２）。
この電子ボリュームの抵抗値の設定（Ｆ３）はステップＦ１６でのコントローラ５の演算結果により行われ、入力された音声信号はその設定された抵抗値でレベル制御されて次段アンプ３ａへ入力される（Ｆ４）。
次段アンプ３ａの出力はＡ／Ｄ変換器４への入力信号となる（Ｆ６）他、電圧検出回路３ｂへの入力となる（Ｆ５）。
【００２６】
そして電圧検出回路３ｂの出力に応じてコンデンサＣ１の充電又は放電が行われ、その結果トランジスタＱ１がオン／オフ制御される。
即ち、電圧検出回路３ｂの出力がトランジスタＱ１をオンとさせるレベルとなっている期間は、ステップＦ７からＦ１１に進み、コンデンサＣ１が充電され、その結果トランジスタＱ１が飽和状態となり（Ｆ１２）、リミッタ３によるリミッタ動作としてＲ２／（Ｒ２＋ｒ）の信号減衰が行われる（Ｆ１３）。
一方、電圧検出回路３ｂの出力がトランジスタＱ１をオンとさせないレベルとなると、ステップＦ７からＦ８に進み、コンデンサＣ１が放電され、その結果トランジスタＱ１がオフとなり、リミッタ３の信号減衰機能はオフとなる（Ｆ１０）。
【００２７】
一方、電圧検出回路３ｂの出力はステップＦ１４でコントローラ５に取り込まれ、そのデータ値として入力信号レベルが検知される（Ｆ１５）。そしてその入力信号レベルを用いた演算処理が行われ（Ｆ１６）、電子ボリューム２のレベル設定が行われる。
【００２８】
以上のような本例の入力信号制御装置では、突発的な大レベル入力があった場合には、トランジスタＱ１を用いたアタックタイムの早いリミッタ３のリミッタ動作により対応できる。そしてこの場合非線形素子であるトランジスタＱ１を用いているがリカバリタイムも短く設定することで、ひずみ率の悪くなる期間を非常に短く（例えば数ｍｓｅｃ以下）でき、リミッタ動作を非線形素子で行うことによる音質劣化を解消できる。
またアタックタイムの設定はコンデンサＣ１、抵抗Ｒ１の時定数によるものとなるため、短いアタックタイムの設定が容易である。
一方、緩やかなレベル変動に対しては電子ボリューム２とコントローラ５による第２のリミッタ回路部が機能するが、この場合歪み率の少ない電子ボリューム２を用いることで音質劣化が無く、またリカバリータイムも例えば音響的に不自然さがないようなある程度長い時間に任意に設定できることになる。またアタックタイムを短くすることによる突発的大レベル入力時の迅速な反応に関してはリミッタ３が行うため電子ボリューム２が対応する必要はなく、従ってクロック周波数やマイクロコンピュータの処理速度を早くするなどの処置は不要となり、コストアップ等を招かない。
【００２９】
さらに本例では、コンデンサＣ１、抵抗Ｒ１の組み合わせと、コンデンサＣ２、抵抗Ｒ３の組み合わせの設定をかえるのみで、第１のリミッタ回路部と第２のリミッタ回路部で電圧検出回路３ｂを共用できるようにしており、これにより回路構成の簡易化、部品点数の削減を実現している。
【００３０】
またリミッタ３のアタックタイムが早いため、Ａ／Ｄ変換器４の変換ダイナミックレンジのフルスケールレベルに対し、−２ｄＢ〜−３ｄＢ程度までリニアリティをのばすことが可能となる。
また図３の特性例のように電子ボリューム２での制御レベルをリミッタ３での制御レベルより低いレベルで設定しておくことで、リミッタ３を突発的大レベル入力時にしか動作させないようにし、入力レベルが安定している期間は、トランジスタＱ１の非線形性の影響のない歪みの少ない状態を維持できる。つまり高音質記録に好適なものとなる。
【００３１】
図５に本発明の実施の形態としての他の入力信号制御装置を示す。
なお図１と同一機能部分には同一符号を付し、説明を省略する。
この図５の例では、初段アンプ１及び電子ボリューム２を有する入力信号経路とは並行に可変抵抗ＶＲ１を介する入力信号経路が形成され、この２つの入力信号経路がスイッチ７、８で切り換えられるようにされている。
スイッチ７、８はユーザーが記録装置に設けられているある操作子を操作することで連動切換されるものである。
【００３２】
またトランジスタＱ１のベースがリミッタ制御回路９のトランジスタＱ２のコレクタと接続される。このトランジスタＱ２は抵抗Ｒ４、スイッチ９ａを介してベース電圧Ｖ１が印加され、つまりスイッチ９ａのオン／オフに応じてトランジスタＱ２がオン／オフされる構成となっている。スイッチ９ａはユーザーが記録装置に設けられているある操作子を操作することで開閉される。
【００３３】
この図５の例の場合、ユーザーは入力信号制御装置での入力信号レベル制御機能として３通りの機能状態を選択できる。リミッタ機能モード、マニュアル及びリミッタ機能モード、マニュアルモードである。
【００３４】
リミッタ機能モードとは、図１の例と同様にリミッタ３によるリミッタ機能と電子ボリューム２によるリミッタ機能の両方が発揮されるモードであり、この場合ユーザーは入力レベルに関して何も操作しなくても最適な状態での録音ができることになる。
このためにはユーザーはスイッチ７、８がｔ１端子に接続される状態とし、スイッチ９ａがオフとされる状態とする。その状態は等価的に図１と同様の回路構成となる。
【００３５】
マニュアル及びリミッタ機能モードとする場合は、ユーザーはスイッチ７、８がｔ２端子に接続される状態とし、スイッチ９ａがオフとされる状態とする。
この場合、入力音声信号ＳINは初段アンプ１及び電子ボリューム２を通らず、可変抵抗ＶＲ１でレベル調整されてリミッタ３に供給される。
即ちユーザーは手動で可変抵抗ＶＲ１を操作して任意の録音レベルを設定できる。そして、突発的な大レベル入力があったような場合に関してはリミッタ３のリミッタ動作が発揮されることになる。
【００３６】
マニュアル機能モードとする場合は、ユーザーはスイッチ７、８がｔ２端子に接続される状態とし、スイッチ９ａがオンとされる状態とする。
この場合、入力音声信号ＳINは初段アンプ１及び電子ボリューム２を通らず、可変抵抗ＶＲ１でレベル調整されてリミッタ３に供給される。
ところがトランジスタＱ１のベースはトランジスタＱ２を介して接地されることになるためトランジスタＱ１はオンになることはない。従ってリミッタ３は機能しない。
即ちユーザーは手動で可変抵抗ＶＲ１を操作して任意の録音レベルを設定できるが、第１及び第２のリミッタ回路部としての機能はオフとされた状態となる。
【００３７】
以上のように３通りの状態を選択できるが、これはユーザの好みや、野外・屋内などの録音場所の違い、録音対象となる音声の種別、大レベル音声の発生する可能性などの各種の条件により最適な状態が選択されればよく、これによって幅広い録音用途に対応できる録音装置に好適な入力信号制御装置を実現できる。
【００３８】
以上、本発明の実施の形態を説明してきたが、本発明の入力信号制御装置としては各種他の構成例が考えられることはいうまでもない。また搭載される機器は録音装置に限られず、アンプユニット、音響エフェクタなど他の機器にも好適に用いることができる。
【図面の簡単な説明】
【００３９】
【図１】本発明の第１の実施の形態の入力信号制御装置の回路図である。
【図２】第１の実施の形態のリミッタ動作波形の説明図である。
【図３】第１の実施の形態のリミッタ特性の説明図である。
【図４】第１の実施の形態の動作の流れの説明図である。
【図５】第２の実施の形態の入力信号制御装置の回路図である。
【図６】従来のリミッタ回路の回路図である。
【図７】従来のリミッタ回路の動作波形の説明図である。
【図８】従来のリミッタ回路のブロック図である。
【図９】従来のリミッタ回路の動作波形の説明図である。
【符号の説明】
【００４０】
１  初段アンプ、２  電子ボリューム、３  リミッタ、４  Ａ／Ｄ変換器、５  コントローラ、６  発振器、７，８，９  スイッチ、Ｑ１，Ｑ２  トランジスタ、Ｃ１，Ｃ２  コンデンサ、Ｒ１，Ｒ２，Ｒ３，Ｒ４  抵抗
【図１】
2006325262.tif 000003
【図２】
2006325262.tif 000004
【図３】
2006325262.tif 000005
【図４】
2006325262.tif 000006
【図５】
2006325262.tif 000007
【図６】
2006325262.tif 000008
【図７】
2006325262.tif 000009
【図８】
2006325262.tif 000010
【図９】
2006325262.tif 000011